(57)【要約】【課題】暗い場所でのカメラ上面の操作部材の操作に必要な照明を確保するために、照明手段をカメラ上面の操作部材に組み込むと、操作部材の構成が複雑化する。【解決手段】照明手段２０がカメラ上面中央の突部１０ａの左右の側面にそれぞれ配置されて、突部１０ａを挟んでカメラ上面の領域１０ｂで左右に分断された操作部材１０Ｕ１〜１０Ｕ６のいずれにも照明手段の照明光が照射されている。また、ライトボタン２０ａをプッシュして照明手段２０をオンにするとタイマーが起動して所定時間の照明を行い、所定時間内にカメラ上面の操作部材１０Ｕ１〜１０Ｕ６のいずれかが操作されるとタイマーがリセットされて照明手段による所定時間の照明が繰り返される。【選択図】図３
2010039177.tif 000002
【特許請求の範囲】
【請求項１】
ペンタプリズムを覆い、カメラ上面中央が凸状形状である突部を有した一眼レフレックスカメラにおいて、
カメラ上面の上記突部以外の領域に配置された操作部材と、
上記突部に配置されて、上記操作部材を照明する照明手段と、
を具備することを特徴とする一眼レフレックスカメラ。
【請求項２】
上記照明手段は、上記突部側面に配置されている請求項１記載の一眼レフレックスカメラ。
【請求項３】
上記操作部材は複数あり、上記照明手段は複数の上記操作部材のそれぞれに照明光を当てるように配置されている請求項１または２記載の一眼レフレックスカメラ。
【請求項４】
上記照明手段をオンにするとタイマーが起動して所定時間の照明を行い、所定時間内に上記操作部材が操作されると該タイマーがリセットされて照明手段による所定時間の照明が繰り返される請求項１〜３のいずれかに記載の一眼レフレックスカメラ。
【発明の詳細な説明】
【技術分野】
【０００１】
本発明は、一眼レフレックスカメラ、特に、一眼レフレックスカメラにおける上面の操作部材の照明に関するものである。
【背景技術】
【０００２】
一般的に、一眼レフレックスカメラにおいては、カメラの背面および上面の平坦部にモードダイヤルやシャッターボタンなどの操作部材や、液晶ディスプレー（ＬＣＤ）などの表示部が配置されている。そして、操作部材に隣接してバックライト付のＬＣＤがあれば、暗い場所でも操作部材を操作することができる。
【０００３】
しかし、最近の一眼レフレックスカメラではカメラ背面にバックライト付のＬＣＤを設ける反面、カメラ上面に設けたダイヤルやボタンは暗い場所では正確に操作できない。
【発明の開示】
【発明が解決しようとする課題】
【０００４】
カメラ上面の操作部材を暗い場所でも正確に操作できるように、カメラ上面のモードダイヤルやシャッターボタンなどの操作部材にＬＥＤなどの照明部材を組み込んだ一眼レフレックスカメラが提案されている（たとえば、特開２００１−００５０７６号公報）。しかし、操作部材に照明部材を組み込んだ構成では、操作部材の構成の複雑化が避けられない。
本発明は、操作部材の構成を複雑化することなく暗い場所でもカメラ上面の操作部材の操作に必要な照明を確保できる一眼レフレックスカメラの提供を目的としている。
【特許文献１】特開２００１−００５０７６号公報
【課題を解決するための手段】
【０００５】
請求項１記載の本発明によれば、ペンタプリズムを覆い、カメラ上面中央が凸状形状である突部を有した一眼レフレックスカメラにおいて、カメラ上面の上記突部以外の領域に配置された操作部材と、上記突部に配置されて、上記操作部材を照明する照明手段とを具備して構成されている。
また、請求項２記載の本発明によれば、照明手段は突部側面に配置されている。
さらに、請求項３記載の本発明によれば、操作部材は複数あり、照明手段は複数の操作部材のそれぞれに照明光を当てる照明配光手段を有している。
請求項４記載の本発明によれば、照明手段をオンにするとタイマーが起動して所定時間の照明を行い、所定時間内に操作部材が操作されるとタイマーがリセットされて照明手段による所定時間の照明が繰り返されている。
【発明の効果】
【０００６】
請求項１記載の本発明では、照明手段を操作部材に組み込んでいないため、操作部材の構成が複雑化しない。そして、凸状形状の突部に配置された照明手段は、突部以外の領域に配置された操作部材を見下ろして照明するため、暗い場所でも操作部材の操作に必要な照明光が得られる。
請求項２記載の本発明では、突部側面に設けられた照明手段からの照明光が操作部材に効果的に照射されるため、暗い場所でも操作部材の操作に必要な照明光が容易に得られる。
請求項３記載の本発明では、照明手段の照明光が操作部材のいずれにも照射されるため、いずれの操作部材においても暗い場所での操作に必要な照明光が確保される。
請求項４記載の本発明では、照明手段をオンにしてから所定時間内に操作部材を操作すれば、所定時間の照明が繰り返され、無駄のない効率的な照明がなされる。
【発明を実施するための最良の形態】
【０００７】
本発明では、照明手段がカメラ上面中央の凸状形状の突部の左右の側面にそれぞれ配置されて、突部で左右に分断された突部以外のカメラ上面の領域に設けられた操作部材のいずれもが照明手段によって照明されている。また、ライトボタンを操作して照明手段をオンにするとタイマーが起動して所定時間の照明を行い、所定時間内に操作部材が操作されるとタイマーがリセットされて照明手段による所定時間の照明が繰り返されている。
【実施例】
【０００８】
以下図面を参照しながら本発明の実施例を詳細に説明する。図１、図２、図３は本発明の一実施例に係る一眼レフレックスカメラの背面上方からの斜視図、正面図、平面図をそれぞれ示す。
【０００９】
実施例においては、一眼レフレックスカメラ(カメラ)の使用状態を考慮して使用時に被写体に対向する側の面をカメラの前面、撮影者が対向する側の面を側のカメラの背面とし、被写体方向を前方、撮影者方向を後方とする。撮影動作の際に操作される操作部材、たとえば、シャッターボタンなどの配置されている上側の面をカメラの上面とし、これと対向する側の面（下側の面）をカメラの底面とする。このカメラの底面には、三脚の取り付けねじの螺着されるねじ穴が設けられている。また、撮影画面の長辺が水平方向となるように一眼レフレックスカメラを構えたカメラの通常の使用時に左右に位置する側の面を側面とし、撮影者から見て、左側面のある方向を左（左方)、右側面のある方向を右（右方）とする。
【００１０】
図１〜図３に示すように、一眼レフレックスカメラ（カメラ）１０は、その上面（カメラ上面）１０Ｕの中央に凸状形状の突部１０ａを有しており、この突部にはペンタプリズム（図示しない）が収納されている。そして、突部頂面の後方に外付け閃光装置などの取付け座であるアクセサリーシュー１０ａ１が設けられ、アクセサリーシュー１０ａ１を囲んで突部頂面の前方にかけて内蔵フラッシュ１０ａ２が跳ね上げ可能に配置されて、突部１０ａの一部を構成している。
【００１１】
図３に示すように、カメラの上面１０Ｕの突部１０ａ以外の領域１０ｂは、突部を挟んで右半部、左半部に分断され、その右半部には、たとえば、ＩＳＯボタン１０Ｕ１、露出補正ボタン１０Ｕ２、ホワイトバランスボタン１０Ｕ３などの一連の操作部材が横並びに配置されている。また、領域１０ｂの一部は前方に延出した斜面１０ｂ’となり、この斜面にはシャッターボタン（操作部材）１０Ｕ４が配置されている。また、突部１０ａ以外の領域１０ｂの左半部には、フラッシュボタン１０Ｕ５、モードボタン１０Ｕ６が横並びに配置されている。さらに、操作部材ではないがコントロールパネル１０Ｕ７が、ＩＳＯボタン１０Ｕ１〜ホワイトバランスボタン１０Ｕ３の後方で領域１０ｂの右半部に配置されており、コントロールパネルには測光モード、ＡＦモード、画質モード、シャッタースピード、絞り、電池残量、撮影可能枚数などの撮影情報が表示される。コントロールパネル１０Ｕ７はバックライトのない液晶ディスプレー（ＬＣＤ）から構成されている。
【００１２】
図１に示すように、操作部材はカメラの背面（カメラ背面）１０Ｒにも配置されており、たとえば、スルー画像や再生画像などの表示されるバックライト付の液晶ディスプレー（ＬＣＤ、液晶モニター）１０Ｒ１がカメラ背面の左半部の大半を占めて配置され、操作部材がカメラ背面の左半部で液晶ディスプレーの下方や、カメラ背面の右半部に配置されている。すなわち、消去ボタン１０Ｒ２、情報表示ボタン１０Ｒ３、メニューボタン１０Ｒ４、ライブビューボタン１０Ｒ５がカメラ背面の左半部で液晶ディスプレーの下方に横に並んで配置されている。そして、カメラ背面の右半部には、ＡＥＬ／ＡＦＬボタン１０Ｒ６、Ｆｎボタン１０Ｒ７、ＡＦターゲットボタン１０Ｒ８という３つの操作部材がほぼ横に並んで配置されるとともに、それから下方にかけて、メインダイヤル１０Ｒ９、再生ボタン１０Ｒ１０、十字キー１０Ｒ１１、ＯＫボタン(決定ボタン) １０Ｒ１２、手振れ補正ボタン１０Ｒ１３、パワースイッチ（レバースイッチ）１０Ｒ１４などが順次配置されている。
【００１３】
カメラ上面１０Ｕ、カメラ背面１０Ｒに設けられた操作部材の機能、構造などは、本発明と直接関係ないのでその詳細は省略する。
【００１４】
パワースイッチ１０Ｒ１４をオンにすると、カメラ上面１０Ｕのコントロールパネル１０Ｕ７、カメラ背面１０Ｒの液晶ディスプレー（液晶モニター）１０Ｒ１の双方に通電される。ここで、カメラ背面の液晶ディスプレー１０Ｒ１はバックライト付であるため、パワースイッチ１０Ｒ１４のオンによって、液晶ディスプレーが点灯すると、背面に配置された一連の操作部材（消去ボタン１０Ｒ２〜手振れ補正ボタン１０Ｒ１３）は、暗い場所でも液晶ディスプレーの照明のもとで操作できる。
しかし、カメラ上面のコントロールパネル１０Ｕ７はバックライトなしであるため、コントロールパネルがオンとなっても、暗い場所ではコントロールパネル自体の画面が認識されないとともに、カメラ上面に配置された一連の操作部材（ＩＳＯボタン１０Ｕ１〜モードボタン１０Ｕ６）の位置が容易に確認できず、ＩＳＯボタンなどの操作も容易でない。
【００１５】
そのため、本発明では、カメラ上面の操作部材（ＩＳＯボタン１０Ｕ１〜モードボタン１０Ｕ６）を暗い場所でも操作できるように、カメラ上面１０Ｕの突部１０ａに照明手段２０を設けている。ここで、カメラ上面の操作部材（ＩＳＯボタン１０Ｕ１〜モードボタン１０Ｕ６）が配置されている領域が突部１０ａを挟んで左右に分断されているため、照明手段２０は、突部１０ａの両側面（右側面、左側面）にそれぞれ設けられている。すなわち、突部１０ａ以外の領域１０ｂの右半部の操作部材（ＩＳＯボタン１０Ｕ１〜シャッターボタン１０Ｕ４）のための照明部材（照明配光手段）２０−１が突部１０ａの右側面に、左半部の操作部材（フラッシュボタン１０Ｕ５、モードボタン１０Ｕ６）のための照明部材（照明配光手段）２０−２が突部１０ａの左側面にそれぞれ設けられている。
【００１６】
このように突部１０ａの両側面に照明部材２０−１、２０−２をそれぞれ配置すれば、突部１０ａを挟んでカメラ上面の領域１０ｂに設けられて左右に分断された領域の操作部材１０Ｕ１〜１０Ｕ６のいずれにも、照明手段の照明光が照射され、暗い場所での操作に必要な照明光がいずれの操作部材においても得られる。
【００１７】
照明手段２０は、できるだけ広い範囲を照明できるように突部１０ａの高い位置に設けることが好ましく、たとえば、突部１０ａの頂部を構成する内蔵フラッシュ１０ａ２の側面に設けるとよい。照明手段２０の発光体は、たとえば、ＬＥＤ（発光ダイオード）とされ、図１に示すように、たとえば、発光体を突部１０ａの側面に埋め込み、複数の光学系が並んだ板状の投光レンズ板２０ｂ、２０ｃを介して光が外部に照射されるように形成される。
【００１８】
そして、照明手段２０を点灯させるためのライトスイッチ（ライトボタン）２０ａが設けられている。ライトスイッチ２０ａは、パワースイッチ１０Ｒ１４が兼用しても、パワースイッチとは別に設けてもよく、実施例では、パワースイッチとは別に専用のライトスイッチが、たとえば、カメラ上面１０Ｕの突部以外の領域１０ｂに設けられている。すなわち、カメラ上面１０Ｕの領域１０ｂで突部１０ａの右半部に横並びに設けられた３つの操作部材（ＩＳＯボタン１０Ｕ１〜ホワイトバランスボタン１０Ｕ３）のうちで突部に最も近いホワイトバランスボタン１０Ｕ３と突部との間に、ライトスイッチ２０ａが設けられている。
【００１９】
このように突部１０ａの右斜面の照明手段２０に最も隣接する操作部材をライトスイッチ２０ａとすれば、暗い場所でもライトスイッチを比較的容易に操作することができる。もちろん、ライトスイッチ２０ａを設ける位置はこれに限定されず、他の位置に設けてもよい。
【００２０】
たとえば、ライトスイッチ２０ａがオンに操作されると、タイマー（図示しない）に設定された所定時間（たとえば、２０秒）だけ照明手段２０を照明させ、カメラ上面の操作部材１０Ｕ１〜１０Ｕ６のいずれかが所定時間内に操作されると、タイマーがリセットされて所定時間での照明手段の照明を繰り返すようになっている。
【００２１】
また、ライトスイッチ２０ａはさらにプッシュするとオン、オフが切り換えられて左右の照明部材２０−１、２０−２を同時に点灯する機能を有するプッシュスイッチとなっていてもよい。さらに、（１）左の照明部材２０−２だけ、（２）右の照明部材２０−１だけ、（３）左右の照明部材を同時に、それぞれ点灯するプッシュスイッチまたはスライドスイッチとしてもよい。
【００２２】
操作部材に照明手段を組み込むことなく、カメラ上面の操作部材１０Ｕ１〜１０Ｕ６を照明する照明手段２０をカメラ上面の突部１０ａに配置しているため、操作部材の構成を複雑化することなく暗い場所でもカメラ上面の操作部材の操作に必要な照明が得られ、暗い場所での撮影が容易に行なえる。
【００２３】
図４はカメラ上面に設けられた操作部材の概略回路図を示し、カメラ上面の操作部材の操作は中央制御装置（ＣＰＵ）１２によって制御されている。すなわち、ＩＳＯボタン１０Ｕ１、露出補正ボタン１０Ｕ２、ホワイトバランスボタン１０Ｕ３、シャッターボタン１０Ｕ４、フラッシュボタン１０Ｕ５、モードボタン１０Ｕ６がオンされると、その出力信号は中央制御装置（ＣＰＵ）１２に出力され、ＣＰＵによって所定の動作がなされている。なお、シャッターボタン１０Ｕ４は、１ｓｔレリーズボタン、２ｎｄレリーズボタンの二段スイッチとなっている。
【００２４】
図５（Ａ）（Ｂ）は照明、消灯でのサブルーチンのフローチャートを示す。図５（Ａ）に示すように、ライトスイッチ２０ａがプッシュされてオンになれば、Ｓ１でタイマーがリセット（起動）され、Ｓ２でタイマーによる計時が開始されて、Ｓ３で照明手段２０がタイマーに設定された所定時間（たとえば、２０秒）点灯されて、メインルーチンに復帰する。
【００２５】
消灯時においては図５（Ｂ）に示すように、タイマーに設定された所定時間がＳ１１で経過したか否かが判断され、所定時間内にカメラ上面の操作部材１０Ｕ１〜１０Ｕ６が操作されたか否かがＳ１２で判断される。
【００２６】
Ｓ１２で所定時間内にカメラ上面の操作部材１０Ｕ１〜１０Ｕ６のいずれかが操作されれば（Ｙｅｓであれば）、照明手段２０を消灯することなくメインルーチンに戻され、照明手段は点灯したままとなる。Ｓ１２においてカメラ上面の操作部材１０Ｕ１〜１０Ｕ６のいずれかもが操作されずに所定時間が経過してＮｏと判断されれば、Ｓ１１に戻され、所定時間が経過してＳ１１でＹｅｓと判断されれば、Ｓ１３で照明手段２０が消灯（照明オフ）されてメインルーチンに戻される。
【００２７】
このように、ライトスイッチ２０ａをオンに操作すれば、タイマーによる計時が開始されて照明手段２０が点灯され、タイマーの設定時間（所定時間）内にカメラ上面の操作部材１０Ｕ１〜１０Ｕ６が操作されれば、タイマーがリセットされて照明手段は所定時間の照明を繰り返す。したがって、カメラ上面の操作部材１０Ｕ１〜１０Ｕ６を所定時間内に操作し続ければ、照明手段が消灯することなく照明し続けて、暗い場所での撮影が継続して行える。逆に、カメラ上面のいずれの操作部材１０Ｕ１〜１０Ｕ６を操作することなく所定時間が経過すれば、撮影継続の意思なしと判断して照明手段が自動的に消灯するため、照明手段の消し忘れによる無駄な電力消費が防止される。したがって、無駄のない効率的な照明が可能となる。
【００２８】
上記のように、カメラ上面の突部にカメラ上面の操作部材を照明する照明手段を設けているため、操作部材の構成が複雑化することなく暗い場所でもカメラ上面の操作部材の操作に必要な照明が得られる。
【００２９】
上述した実施例は、この発明を説明するためのものであり、この発明を何等限定するものでなく、この発明の技術範囲内で変形、改造等の施されたものも全てこの発明に包含されることはいうまでもない。
たとえば、実施例では、照明手段は突部の側面に埋め込んで配置されているが、部分的に突出して配置してもよい。また、右半部の照明部材２０−１のためのライトスイッチと、左半分の照明部材２０−２のためのライトスイッチとをそれぞれ個別に設けてもよい。
【００３０】
また、照明手段２０は、実施例においてはカメラ上面中央の突部１０ａの側面に配置したがカメラ上面１０Ｕに設けた操作部材１０Ｕ１〜１０Ｕ６に対して投光できる場所にあればよい。たとえば、カメラ上面中央の突部１０ａから連続して伸びる接眼枠の側面に照明手段２０を配置してもよい。
【００３１】
さらに、照明手段２０の発光体としてＬＥＤをあげたが、ＬＥＤに限定されず白色ランプやキセノン管などからの発光でもよい。要するに、照明手段２０は光エネルギーを発生して照明を行うものであればよい。
【産業上の利用可能性】
【００３２】
本発明は普通の一眼レフレックスカメラ、電子機器などの他、防水仕様の一眼レフレックスカメラ、電子機器などにも広範囲に応用できる。
【図面の簡単な説明】
【００３３】
【図１】本発明の一実施例に係る一眼レフレックスカメラの背面上方からの斜視図を示す。
【図２】本発明の一実施例に係る一眼レフレックスカメラの正面図を示す。
【図３】本発明の一実施例に係る一眼レフレックスカメラの平面図を示す。
【図４】カメラ上面に設けられた操作部材の概略回路図を示す。
【図５】（Ａ）（Ｂ）は照明、消灯でのサブルーチンのフローチャートを示す。
【符号の説明】
【００３４】
１０      一眼レフレックスカメラ（カメラ）
１０Ｕ    カメラの上面（カメラ上面）
１０Ｒ    カメラの背面（カメラ背面）
１０ａ    カメラ上面の突部
１０ｂ    カメラ上面の突部以外の領域
１０Ｕ１〜１０Ｕ６    カメラ上面の操作部材
１０Ｕ７  カメラ上面のコントロールパネル（液晶ディスプレー）
１０Ｒ１  カメラ背面の液晶ディスプレー
１０Ｒ２〜１０Ｒ１４  カメラ背面の操作部材
２０      照明手段
２０−１、２０−２  照明部材（照明配光手段）
２０ａ    ライトスイッチ
【図１】
2010039177.tif 000003
【図２】
2010039177.tif 000004
【図３】
2010039177.tif 000005
【図４】
2010039177.tif 000006
【図５】
2010039177.tif 000007